(57)【要約】【課題】既存の床下において、断熱性を容易に向上させることができるようにする。【解決手段】既存の床下は、下端部が束石５に固定された床束６に支持される大引き１と、大引き１に固定される根太２と、根太２，２間にはめ込まれる断熱材３と、根太２に固定される床板４とを備える。根太２，２間において断熱材３と大引き１との間に形成される隙間７は、隙間部材８により閉塞される。大引き１，１間には、断熱部材９が設けられる。断熱部材９は、断熱性を有する本体材１２と、本体材１２の下端部に設けられると共に本体材１２から外方への延出部１４が形成される支持材１３とを有して構成されており、本体材１２が大引き１，１間に下方からはめ込まれると共に、支持材１３の延出部１４が大引き１に固定される。【選択図】図２
2016014222.tif 000002
【特許請求の範囲】
【請求項１】
床板の下方において根太間に断熱材を有しない場合には、前記床板と大引きとの間の隙間をそれぞれ閉塞して設けられる一方、根太間に断熱材を有する場合には、前記断熱材と大引きとの間の隙間をそれぞれ閉塞して設けられる断熱性を有する隙間部材と、
前記大引き間に設けられる断熱部材とを備え、
前記断熱部材は、断熱性を有する本体材と、この本体材の下端部に設けられると共に前記本体材から外方への延出部が形成される支持材とを有して構成されており、前記本体材が前記大引き間に下方から挿入されると共に、前記支持材の前記延出部が前記大引きに固定される
ことを特徴とする床下の断熱構造。
【請求項２】
前記隙間部材は、断熱性を有する本体片と、この本体片の少なくとも上面および下面を覆う素材とを有し、
前記素材は、前記床板、前記大引きおよび前記断熱材との摩擦を小さくする材料から形成される
ことを特徴とする請求項１に記載の床下の断熱構造。
【請求項３】
前記隙間部材において前記根太の延出方向に沿う幅は、前記大引きの幅よりも大きく形成されており、
前記隙間部材は、前記大引きから前記根太の延出方向にはみ出すよう前記隙間に設けられて、前記断熱部材と接触される
ことを特徴とする請求項１または請求項２に記載の床下の断熱構造。
【請求項４】
床板の下方において根太間に断熱材を有しない場合、前記床板と大引きとの間の隙間がそれぞれ、一方、根太間に断熱材を有する場合、前記断熱材と大引きとの間の隙間がそれぞれ、断熱性を有する隙間部材で閉塞された後、前記大引き間に断熱部材が設けられる床下の断熱構造の施工方法であって、
前記断熱部材は、断熱性を有する本体材と、この本体材の下端部に設けられると共に前記本体材から外方への延出部が形成される支持材とを有して構成されており、前記本体材が前記大引き間に下方から挿入されると共に、前記支持材の前記延出部が前記大引きに固定される
ことを特徴とする床下の断熱構造の施工方法。
【発明の詳細な説明】
【技術分野】
【０００１】
本発明は、床下の断熱構造とその施工方法、特に既存の床下の断熱性を向上させる構造とその施工方法に関するものである。
【背景技術】
【０００２】
下記特許文献１には、支持材（２５）の耳部（２５４，２５４）が大引（１２）の下面に固定された後、大引（１２）間に断熱材（２０）が充填されると共に、断熱材（２０）の下面（２４）が支持材（２５）の底面部（２５１）に支持され、そして、大引（１２）および断熱材（２０）の上部が面材（１３）で覆われる床断熱構造およびその施工方法が開示されている。また、床下に断熱材を施工する方法として、床板の下面に、スプレーガンなどで発泡ウレタンを吹き付けて断熱層を形成する方法が知られている。
【先行技術文献】
【特許文献】
【０００３】
【特許文献１】国際公開第２０１２／０３３１８５号
【発明の概要】
【発明が解決しようとする課題】
【０００４】
しかしながら、前記特許文献１に記載の施工方法では、断熱材が上方から大引間に充填された後に床板である面材が設置されるため、既存の床下に適用した場合、元の床板を剥がす必要がある。従って、工事に手間を要し、コスト高となってしまう。また、既存の床下構造において、大引上に根太が設置されている場合、断熱材を大引間に充填する際に根太が邪魔となり、断熱材の施工が困難である。
【０００５】
一方、発泡ウレタンを吹き付ける方法では、床板の下面に均一に発泡ウレタンを吹き付けるには熟練を要し、時間と手間とがかかってしまう。また、基礎に形成された換気口付近で吹き付けを行った場合、換気口から外部へ発泡ウレタンが飛び出してしまうおそれがある。また、発泡ウレタンの吹き付け時の騒音も問題となっている。さらに、吹き付け作業時に、作業員が酸素不足に陥るおそれがあり、その対策が必要である。
【０００６】
本発明が解決しようとする課題は、既存の床下において、断熱性を容易に向上させることができるようにすることにある。
【課題を解決するための手段】
【０００７】
本発明は、前記課題を解決するためになされたもので、請求項１に記載の発明は、床板の下方において根太間に断熱材を有しない場合には、前記床板と大引きとの間の隙間をそれぞれ閉塞して設けられる一方、根太間に断熱材を有する場合には、前記断熱材と大引きとの間の隙間をそれぞれ閉塞して設けられる断熱性を有する隙間部材と、前記大引き間に設けられる断熱部材とを備え、前記断熱部材は、断熱性を有する本体材と、この本体材の下端部に設けられると共に前記本体材から外方への延出部が形成される支持材とを有して構成されており、前記本体材が前記大引き間に下方から挿入されると共に、前記支持材の前記延出部が前記大引きに固定されることを特徴とする床下の断熱構造である。
【０００８】
請求項２に記載の発明は、前記隙間部材は、断熱性を有する本体片と、この本体片の少なくとも上面および下面を覆う素材とを有し、前記素材は、前記床板、前記大引きおよび前記断熱材との摩擦を小さくする材料から形成されることを特徴とする請求項１に記載の床下の断熱構造である。
【０００９】
請求項３に記載の発明は、前記隙間部材において前記根太の延出方向に沿う幅は、前記大引きの幅よりも大きく形成されており、前記隙間部材は、前記大引きから前記根太の延出方向にはみ出すよう前記隙間に設けられて、前記断熱部材と接触されることを特徴とする請求項１または請求項２に記載の床下の断熱構造である。
【００１０】
さらに、請求項４に記載の発明は、床板の下方において根太間に断熱材を有しない場合、床板と大引きとの間の隙間がそれぞれ、一方、根太間に断熱材を有する場合、前記断熱材と大引きとの間の隙間がそれぞれ、断熱性を有する隙間部材で閉塞された後、前記大引き間に断熱部材が設けられる床下の断熱構造の施工方法であって、前記断熱部材は、断熱性を有する本体材と、この本体材の下端部に設けられると共に前記本体材から外方への延出部が形成される支持材とを有して構成されており、前記本体材が前記大引き間に下方から挿入されると共に、前記支持材の前記延出部が前記大引きに固定されることを特徴とする床下の断熱構造の施工方法である。
【発明の効果】
【００１１】
請求項１に記載の発明によれば、根太間に断熱材を有しない場合、床板と大引きとの間の隙間がそれぞれ隙間部材で閉塞され、根太間に断熱材を有する場合、その断熱材と大引きとの間の隙間がそれぞれ隙間部材で閉塞される。これは、既存の床下において、床下に作業員が潜り込み、各隙間に隙間部材を設置することができる。また、本体材が大引き間に下方から挿入されると共に、支持材の延出部が大引きに固定されることで、断熱部材が大引き間に設けられる。これにより、既存の床下において、断熱部材は、床下に潜り込んだ作業員により設置することができる。このように、隙間部材を設けることで、各隙間を通って空気が流れるのを阻害することができ、これに加えて断熱部材を設けることで、床下の断熱性を向上させることができる。これらの隙間部材および断熱部材は、床下空間から設けることができるため、全ての床板を剥がす必要がなく、既存の床下の断熱性を容易に向上させることができる。従って、施工にかかる時間や費用を低減でき、住人が住んでいる状態で施工することができる。
【００１２】
請求項２に記載の発明によれば、本体片の少なくとも上面および下面を覆う素材が、床板、大引きおよび断熱材との摩擦を小さくする材料から形成されることで、隙間部材を各隙間に小さな力で押し込むことができる。従って、隙間部材の設置作業を容易に行うことができる。床下の作業員は、狭い床下空間内において、隙間部材を設置する作業を行わなければならず、その設置作業が容易となることにより、設置作業にかかる時間を短縮することができる。
【００１３】
請求項３に記載の発明によれば、隙間部材が断熱部材と接触されることで、大引きを介した上方への熱橋を防止することができ、断熱性をより向上させることができる。
【００１４】
さらに、請求項４に記載の発明によれば、根太間に断熱材を有しない場合、床板と大引きとの間の隙間がそれぞれ隙間部材で閉塞され、根太間に断熱材を有する場合、その断熱材と大引きとの間の隙間がそれぞれ隙間部材で閉塞される。これは、既存の床下において、床下に作業員が潜り込み、各隙間に隙間部材を設置することができる。また、本体材が大引き間に下方から挿入されると共に、支持材の延出部が大引きに固定されることで、断熱部材が大引き間に設けられる。これにより、既存の床下において、断熱部材は、床下に潜り込んだ作業員により設置することができる。このように、隙間部材を設けることで、各隙間を通って空気が流れるのを阻害することができ、これに加えて断熱部材を設けることで、床下の断熱性を向上させることができる。これらの隙間部材および断熱部材は、床下空間から設けることができるため、全ての床板を剥がす必要がなく、既存の床下の断熱性を容易に向上させることができる。
【図面の簡単な説明】
【００１５】
【図１】本発明の床下の断熱構造の一実施例を示す概略斜視図である。
【図２】図１の床下の断熱構造の正面視縦断面図である。
【図３】図１の床下の断熱構造の側面視縦断面図である。
【図４】本発明の床下の断熱構造の変形例を示す正面視縦断面図である。
【発明を実施するための形態】
【００１６】
以下、本発明の具体的実施例を図面に基づいて詳細に説明する。
【００１７】
図１から図３は、本発明の床下の断熱構造の一実施例の一部を示す概略図であり、図１は概略斜視図、図２は正面視縦断面図、図３は右側面視の縦断面図である。本実施例の床下の断熱構造は、既存の床下に好適に適用される。たとえば、図示例のように、互いに左右方向へ離隔して配置される大引き１と、互いに前後方向へ離隔して配置される根太２と、根太２，２間に設けられる断熱材３と、根太２に設けられる床板４とを備える既存の床下に適用される。
【００１８】
各大引き１は、前後方向へ延出して配置される角材とされ、下端部が束石５に固定される角柱状の床束６により支持される。各根太２は、左右方向へ延出して配置される角材とされる。各根太２は、大引き１の延出方向と交差するようにして、大引き１の上面に固定される。各断熱材３は、長手方向が左右方向へ沿う長方形の板状とされ、硬質のポリウレタンから形成される。各断熱材３は、その前後幅が根太２，２間の間隔よりも若干大きく形成されることで、根太２，２間にはめ込むことができる。はめ込み状態では、断熱材３は根太２，２間の上部に配置され、これにより、断熱材３の下面と大引き１の上面との間に、床下を流れる空気が通る隙間７が形成される。各床板４は、長手方向が左右方向へ沿う長方形の薄い板材から形成されており、互いに当接しつつ根太２の上面に固定される。
【００１９】
本実施例の床下の断熱構造は、図示例の既存の床下に適用されるものであり、断熱材３と大引き１との間の隙間７に設けられる隙間部材８と、大引き１，１間に設けられる断熱部材９とを備える。この断熱構造の施工方法は、後述するように、まず、各隙間７に隙間部材８が設けられ、次に、各大引き１，１間に断熱部材９が設けられる。
【００２０】
各隙間部材８は、図２に示されるように、断熱性を有する本体片１０と、この本体片１０を包み込む素材１１とを有する。本体片１０は、隙間７よりも若干大きい矩形板状とされ、グラスウールから形成される。従って、本体片１０は、隙間７にはめ込むことができるように、弾性変形可能とされる。本体片１０は、長手方向が前後方向へ沿う長方形状とされ、左右幅が大引き１の左右幅よりも大きく形成される。素材１１は、本体片１０の挿入口を有するビニール製の袋状に形成される。素材１１の挿入口は、本体片１０が収容された後に閉じられる。本体片１０を素材１１内に収容することで、本体片１０そのものを隙間７にはめ込む場合と比較して、大引き１や断熱材３との摩擦を小さくすることができる。なお、素材１１は、床下でも容易に視認可能なように、目立つ色とされるのが好ましく、たとえば本実施例では、緑色とされる。これにより、薄暗い床下空間において、隙間部材８がはめ込まれているか否かを容易に確認することができる。
【００２１】
断熱部材９は、断熱性を有する本体材１２と、本体材１２に設けられるシート状の支持材１３とを有する。本体材１２は、長手方向が左右方向へ沿う長方形の板状とされ、グラスウールから形成される。本体材１２の左右長さは、大引き１，１間の間隔よりも若干大きく形成される。従って、本体材１２は、大引き１，１間にはめ込むことができるように、弾性変形可能とされる。本実施例では、本体材１２は、前後幅が約４５０ｍｍ、左右長さが約９１０ｍｍとされる。支持材１３は、長手方向が左右方向へ沿う長方形状の不織布から形成される。支持材１３は、左右方向の長さが本体材１２の左右方向の長さよりも長く、前後幅が本体材１２の前後幅とほぼ同一に形成される。この支持材１３は、上面が本体材１２の下面に固定される。この際、支持材１３の左右方向中央部に本体材１２が配置されることで、支持材１３には、本体材１２から外方への延出部１４が形成される。
【００２２】
図２および図３に示されるように、隙間部材８は、隣接する根太２，２間において、断熱材３の下面と大引き１の上面との間に形成される側面視略矩形状の隙間７を閉塞するようにはめ込まれる。隙間部材８は、本体片１０の短手方向が左右方向へ沿うようにして、隙間７にはめ込まれる。この際、隙間部材８の本体片１０は、その左右両端部が大引き１から外方へ延出してはみ出される。このようにして隙間部材８が設けられた後、断熱部材９が大引き１，１間に設けられる。
【００２３】
具体的には、本体材１２がその長手方向を左右方向へ沿うようにして下方から大引き１，１間に挿入されると共に、支持材１３の左右両延出部１４，１４がそれぞれ大引き１の側面の下端部に固定される。この際、本体材１２は、大引き１，１間の上部に配置される。そして、図２に示されるように、支持材１３の延出部１４が大引き１の側面に固定された後、延出部１４の先端部は、折り返されて大引き１の側面に固定される。本実施例では、支持材１３の延出部１４の大引き１への固定にはタッカーが用いられ、延出部１４の前後方向２箇所で固定される。タッカーが用いられることで、ネジや釘などで固定する場合と比較して、狭い床下空間での固定作業を容易に行うことができる。図３に示されるように、断熱部材９は、各大引き１，１間において、隣接する本体材１２の前後面同士が当接するようにして、大引き１に固定される。前述したように隙間部材８の左右両端部は大引き１からはみ出しており、このはみ出し部の下面と本体材１２の上面とが当接される。
【００２４】
本実施例によれば、既存の床下において、隙間部材８によって各隙間７が閉塞されることで、各隙間７を空気が通るのを阻害することができ、これに加えて断熱部材９を大引き１，１間に固定することで、既存の断熱材３と断熱部材９との間に閉鎖された空間を形成できる。これにより、既存の床下の断熱性を向上させることができる。また、本実施例によれば、隙間部材８の隙間７へのはめ込み、および断熱部材９の大引き１，１間への固定は、床下に潜り込んだ作業員により行うことができるため、全ての床板４を剥がす必要がなく、既存の床下の断熱性を容易に向上させることができる。
【００２５】
また、本実施例によれば、本体片１０がビニール製の袋状の素材１１内に収容されることで、本体片１０そのものを隙間７にはめ込む場合と比較して、断熱材３や大引き１との摩擦を低減することができ、隙間部材８を小さな力でスムーズに隙間７にはめ込むことができる。従って、隙間部材８の隙間７へのはめ込み作業にかかる時間を短縮することができる。また、ビニール製の素材１１を用いることで、本体片１０そのものの場合と比較して、隙間７をより確実に閉塞することができる。また、本実施例によれば、隙間部材８の大引き１からのはみ出し部が断熱部材９の本体材１２と接触されることで、大引き１を介した床板４への熱橋を防止することができ、断熱性をより向上させることができる。
【００２６】
また、本実施例によれば、隙間部材８ははめ込むだけなので、隙間７へ容易に設置することができる。床下の狭い空間では、容易に設置できることで、作業員の負担を軽減することができ、設置作業にかかる時間を短縮することができる。さらに、本実施例によれば、断熱部材９の本体材１２の前後幅が約４５０ｍｍとされることで、作業員による床下での断熱部材９の設置作業をより楽に行うことができる。
【００２７】
本発明は、前記実施例の構成に限らず、適宜変更可能である。たとえば、前記実施例では、根太２，２間に断熱材３を有する既存の床下に適用されたが、これに限定されるものではなく、根太２，２間に断熱材３を有しない既存の床下に適用してもよい。図４は、本発明の床下の断熱構造の変形例を示す正面視縦断面図であり、一部を示している。本変形例も基本的には、前記実施例と同様の構成である。そこで、以下では、両者の異なる点を中心に説明し、対応する箇所には同一の符号を付して説明する。
【００２８】
前記実施例では、根太２，２間における断熱材３と大引き１との間の隙間７に隙間部材８が設けられたが、本変形例では、根太２，２間における床板４と大引き１との間の隙間１５に隙間部材８が設けられる。図示例では、床板４と大引き１との間に形成された隙間１５を閉塞するように、２つの隙間部材８が上下に重ね合わされるようにしてはめ込まれる。そして、隙間部材８の設置後、前記実施例と同様にして、断熱部材９が大引き１，１間に固定される。従って、床板４と大引き１との間の隙間１５が閉塞されることで、この隙間１５を空気が通るのを阻害でき、これに加えて断熱部材９を設けることで、根太２，２間に断熱材３を有しない床下の断熱性を向上させることができる。なお、隙間１５を閉塞する隙間部材８の数は、２つに限定されるものではなく、１つでもよいし３つ以上でもよい。これらの場合、隙間部材８の厚みが適宜に設定される。
【００２９】
また、本体片１０や本体材１２は、グラスウールに限定されるものではなく、断熱性を有するものから形成すればよい。また、前記実施例や前記変形例では、素材１１は、袋状に形成されたが、これに限定されるものではなく、本体片１０の少なくとも上面および下面を覆う形状であればよい。また、素材１１は、ビニール製に限定されるものではなく、本体片１０をそのままはめ込む場合と比較して、はめ込み時の摩擦を小さくできる材料から形成すればよい。また、前記実施例や前記変形例では、断熱部材９の本体材１２の前後幅が約４５０ｍｍとされたが、これに限定されるものではなく、作業員が狭い空間で設置作業を行い易い大きさであればよい。さらに、前記実施例や前記変形例では、隙間部材８は、本体片１０と素材１１とを有していたが、これに限定されるものではなく、内部に空気が充填された袋としてもよい。
【産業上の利用可能性】
【００３０】
本発明にかかる床下の断熱構造およびその施工方法は、特に、既存の床下において、床板などを剥がすことなく、床下の断熱性を向上させる際に利用することができる。
【符号の説明】
【００３１】
１  大引き
２  根太
３  断熱材
４  床板
７  隙間
８  隙間部材
９  断熱部材
１０  本体片
１１  素材
１２  本体材
１３  支持材
１４  延出部
１５  隙間
【図１】
2016014222.tif 000003
【図２】
2016014222.tif 000004
【図３】
2016014222.tif 000005
【図４】
2016014222.tif 000006